(57)【要約】【課題】  雰囲気温度を正確に検知することができる温度センサを提供する。【解決手段】  温度センサ１０においては、紫外線ＬＥＤ１３が発した紫外線をモニタ用フォトセンサ２３が受光する一方で、紫外線ＬＥＤ１３が発した紫外線を受光して蛍光ガラス板２４が発した蛍光をモニタ用フォトセンサ２６が受光する。このとき、モニタ用フォトセンサ２３の出力値に基づいて、モニタ用フォトセンサ２６の出力値が雰囲気温度と一対一に対応するように紫外線ＬＥＤ１３の発光量を制御回路２７が制御するため、モニタ用フォトセンサ２６の出力値に基づいて、温度センサ１０の雰囲気温度を検知することができる。このように雰囲気温度の検知に紫外線や蛍光といった光を利用することで、外部からの電磁誘導ノイズが発生し難くなり、雰囲気温度を正確に検知することが可能になる。【選択図】  図２
2006058246.tif 000002
【特許請求の範囲】
【請求項１】
紫外線を発する紫外線発光素子と、
前記紫外線発光素子から発せられた紫外線を透過及び反射させて分岐する紫外線透過・反射部材と、
前記紫外線透過・反射部材により分岐された紫外線の一方を受光する第１のモニタ用受光素子と、
前記紫外線透過・反射部材により分岐された紫外線の他方を受光して蛍光を発する蛍光部材と、
前記蛍光部材から発せられた蛍光を受光する第２のモニタ用受光素子と、
前記第１のモニタ用受光素子の出力値に基づいて、前記第２のモニタ用受光素子の出力値が雰囲気温度と一対一に対応するように前記紫外線発光素子の発光量を制御する制御手段とを備えることを特徴とする温度センサ。
【請求項２】
紫外線を発する紫外線発光素子と、
前記紫外線発光素子から発せられた紫外線を透過及び反射させて分岐する紫外線透過・反射部材と、
前記紫外線透過・反射部材により分岐された紫外線の一方を受光する第１のモニタ用受光素子と、
前記紫外線透過・反射部材により分岐された紫外線の他方を受光して蛍光を発する蛍光部材と、
前記蛍光部材から発せられた蛍光を受光する第２のモニタ用受光素子と、
前記第２のモニタ用受光素子の出力値に基づいて、前記第１のモニタ用受光素子の出力値が雰囲気温度と一対一に対応するように前記紫外線発光素子の発光量を制御する制御手段とを備えることを特徴とする温度センサ。
【請求項３】
紫外線を発する紫外線発光素子と、
前記紫外線発光素子から発せられた紫外線を透過及び反射させて分岐する紫外線透過・反射部材と、
前記紫外線透過・反射部材により分岐された紫外線の一方を受光する第１のモニタ用受光素子と、
前記紫外線透過・反射部材により分岐された紫外線の他方を受光して蛍光を発する蛍光部材と、
前記蛍光部材から発せられた蛍光を受光する第２のモニタ用受光素子と、
前記第１のモニタ用受光素子の出力値に基づいて、前記第２のモニタ用受光素子の出力値が雰囲気温度と一対一に対応するように前記紫外線発光素子の発光量を制御し、前記第２のモニタ用受光素子の出力値に基づいて、前記第１のモニタ用受光素子の出力値が雰囲気温度と一対一に対応するように前記紫外線発光素子の発光量を制御する制御手段とを備え、
前記制御手段は、前記第１のモニタ用受光素子の出力値に基づいて、前記第２のモニタ用受光素子の出力値が雰囲気温度と一対一に対応するように前記紫外線発光素子の発光量を制御する場合と、前記第２のモニタ用受光素子の出力値に基づいて、前記第１のモニタ用受光素子の出力値が雰囲気温度と一対一に対応するように前記紫外線発光素子の発光量を制御する場合とを切り替える切替手段を有することを特徴とする温度センサ。
【請求項４】
前記紫外線発光素子から発せられた紫外線を検出面上に位置する紙葉類に照射した際に前記紙葉類から発せられる蛍光を受光する蛍光受光素子を更に備えることを特徴とする請求項１〜３のいずれか一項記載の温度センサ。
【発明の詳細な説明】
【技術分野】
【０００１】
本発明は、雰囲気温度の検知に用いられる温度センサに関する。
【背景技術】
【０００２】
従来の温度センサとしては、２種類の金属線で閉回路を形成して２接点の温度差により熱起電力を生じさせる熱電対（例えば、特許文献１参照）、温度によって抵抗が大きく変化する半導体素子であるサーミスタ（例えば、特許文献２参照）、測定対象から発せられる熱放射によって測定対象の温度を検知する放射温度計（例えば、特許文献３参照）等が一般的に知られており、用途に応じてそれぞれ使い分けられている。
【特許文献１】特開平６−２４１９１３号公報
【特許文献２】特開２００１−３０７９０８号公報
【特許文献３】特開２００１−２１４１７号公報
【発明の開示】
【発明が解決しようとする課題】
【０００３】
しかしながら、熱電対やサーミスタにあっては、電気抵抗の測定を行うため外部からの電磁誘導ノイズが発生し易く、温度を正確に検知することができない場合がある。また、放射温度計にあっては、測定対象から発せられる赤外線等の熱放射の測定を行うため、雰囲気温度の測定には不向きである。
【０００４】
そこで、本発明は、このような事情に鑑みてなされたものであり、雰囲気温度を正確に検知することができる温度センサを提供することを目的とする。
【課題を解決するための手段】
【０００５】
上記目的を達成するために、本発明に係る温度センサは、紫外線を発する紫外線発光素子と、紫外線発光素子から発せられた紫外線を透過及び反射させて分岐する紫外線透過・反射部材と、紫外線透過・反射部材により分岐された紫外線の一方を受光する第１のモニタ用受光素子と、紫外線透過・反射部材により分岐された紫外線の他方を受光して蛍光を発する蛍光部材と、蛍光部材から発せられた蛍光を受光する第２のモニタ用受光素子と、第１のモニタ用受光素子の出力値に基づいて、第２のモニタ用受光素子の出力値が雰囲気温度と一対一に対応するように紫外線発光素子の発光量を制御する制御手段とを備えることを特徴とする。
【０００６】
この温度センサにおいては、紫外線発光素子が発した紫外線を第１のモニタ用受光素子が受光する一方で、紫外線発光素子が発した紫外線を受光して蛍光部材が発した蛍光を第２のモニタ用受光素子が受光する。このとき、第１のモニタ用受光素子の出力値に基づいて、第２のモニタ用受光素子の出力値が雰囲気温度と一対一に対応するように紫外線発光素子の発光量を制御手段が制御するため、第２のモニタ用受光素子の出力値に基づいて、温度センサの雰囲気温度を検知することができる。このように雰囲気温度の検知に紫外線や蛍光といった光を利用することで、外部からの電磁誘導ノイズが発生し難くなり、雰囲気温度を正確に検知することが可能になる。なお、紫外線発光素子には、紫外線のみを発光する素子だけでなく、紫外線を含んだ光を発光する素子も含まれる。
【０００７】
また、本発明に係る温度センサは、紫外線を発する紫外線発光素子と、紫外線発光素子から発せられた紫外線を透過及び反射させて分岐する紫外線透過・反射部材と、紫外線透過・反射部材により分岐された紫外線の一方を受光する第１のモニタ用受光素子と、紫外線透過・反射部材により分岐された紫外線の他方を受光して蛍光を発する蛍光部材と、蛍光部材から発せられた蛍光を受光する第２のモニタ用受光素子と、第２のモニタ用受光素子の出力値に基づいて、第１のモニタ用受光素子の出力値が雰囲気温度と一対一に対応するように紫外線発光素子の発光量を制御する制御手段とを備えることを特徴とする。
【０００８】
この温度センサにおいては、上述した温度センサと同様に、紫外線発光素子が発した紫外線を第１のモニタ用受光素子が受光する一方で、紫外線発光素子が発した紫外線を受光して蛍光部材が発した蛍光を第２のモニタ用受光素子が受光する。このとき、第２のモニタ用受光素子の出力値に基づいて、第１のモニタ用受光素子の出力値が雰囲気温度と一対一に対応するように紫外線発光素子の発光量を制御手段が制御するため、第１のモニタ用受光素子の出力値に基づいて、温度センサの雰囲気温度を検知することができる。このように雰囲気温度の検知に紫外線や蛍光といった光を利用することで、上述した温度センサと同様に外部からの電磁誘導ノイズが発生し難くなり、雰囲気温度を正確に検知することが可能になる。
【０００９】
また、本発明に係る温度センサは、紫外線を発する紫外線発光素子と、紫外線発光素子から発せられた紫外線を透過及び反射させて分岐する紫外線透過・反射部材と、紫外線透過・反射部材により分岐された紫外線の一方を受光する第１のモニタ用受光素子と、紫外線透過・反射部材により分岐された紫外線の他方を受光して蛍光を発する蛍光部材と、蛍光部材から発せられた蛍光を受光する第２のモニタ用受光素子と、第１のモニタ用受光素子の出力値に基づいて、第２のモニタ用受光素子の出力値が雰囲気温度と一対一に対応するように紫外線発光素子の発光量を制御し、第２のモニタ用受光素子の出力値に基づいて、第１のモニタ用受光素子の出力値が雰囲気温度と一対一に対応するように紫外線発光素子の発光量を制御する制御手段とを備え、制御手段は、第１のモニタ用受光素子の出力値に基づいて、第２のモニタ用受光素子の出力値が雰囲気温度と一対一に対応するように紫外線発光素子の発光量を制御する場合と、第２のモニタ用受光素子の出力値に基づいて、第１のモニタ用受光素子の出力値が雰囲気温度と一対一に対応するように紫外線発光素子の発光量を制御する場合とを切り替える切替手段を有することを特徴とする。
【００１０】
また、本発明に係る温度センサは、紫外線発光素子から発せられた紫外線を検出面上に位置する紙葉類に照射した際に紙葉類から発せられる蛍光を受光する蛍光受光素子を更に備えることが好ましい。このように、検出面上に位置する紙葉類に紫外線を照射し、当該紙葉類から発せられた蛍光を受光することで、紙葉類の判別（例えば、紙葉類の種類や真偽の判別）を行うことが可能になる。そして、この温度センサにおいては、紫外線発光素子から発せられた紫外線を紫外線透過・反射部材が分岐し、分岐された紫外線の一方を第１のモニタ用受光素子が受光する。従って、第１のモニタ用受光素子の出力値に基づいて、紫外線発光素子による紫外線の発光量をモニタすることができる。一方、紫外線透過・反射部材により分岐された紫外線の他方を蛍光部材が受光し、当該蛍光部材から発せられた蛍光を第２のモニタ用受光素子が受光する。従って、第２のモニタ用受光素子の出力値に基づいて、雰囲気温度に応じて変化する蛍光部材からの蛍光の発光量をモニタすることができる。このように、第１のモニタ用受光素子と第２のモニタ用受光素子とを設けることで、例えば、紫外線発光素子の発光状態が経時的に変化したり、紙葉類の所定領域からの蛍光の発光量が雰囲気温度に応じて変化したりしても、紙葉類の判別を正確に行うことが可能になる。
【発明の効果】
【００１１】
本発明に係る温度センサによれば、雰囲気温度を正確に検知することができる。
【発明を実施するための最良の形態】
【００１２】
以下、本発明に係る温度センサの好適な実施形態について、図面を参照して詳細に説明する。なお、各図において同一又は相当の部分には同一の符号を付し、重複する説明を省略する。
【００１３】
［第１実施形態］
図１は、第１実施形態に係る温度センサ１０が適用された紙葉類検査器１の断面図である。この紙葉類検査器１は、紙葉類（例えば、紙幣、商品券、カード等）Ｓの真偽を判するものであり、所定の間隔をとって対面するガイド板２，３の間に形成された搬送路４を有している。この搬送路４の途中には、紙葉類Ｓを搬送するための搬送ローラ５，６が配置されている。
【００１４】
搬送路４の途中には、ＬＥＤ等の光源により紙葉類Ｓを照射してその反射光をＣＣＤカメラで捕捉するように構成された紙葉類認識装置８が配置されている。この紙葉類認識装置８は、ＣＣＤカメラにより撮像された画像データと既知の画像データとの照合を行うことで紙葉類Ｓの真偽を判別するものである。
【００１５】
しかしながら、近年、カラーコピーの高精度化によって、このような画像認識だけでは、紙葉類Ｓの真偽を正確に判別することが困難になってきている。
【００１６】
そこで、紙葉類検査器１においては、紙葉類Ｓの真偽を正確に判別するべく、紙葉類認識装置８の上流側に温度センサ１０が設けられている。この温度センサ１０は、その周囲の雰囲気温度を検知すると共に、図２に示すように、搬送路４を搬送される紙葉類Ｓが検出面Ｐ上を通過する際に紙葉類Ｓに紫外線を照射し、紙葉類Ｓから発せられた蛍光（可視光線）を受光することで紙葉類Ｓの真偽を判別するものである。
【００１７】
温度センサ１０は、ガイド板２に取り付けられた直方体形状の筐体１１を有している。この筐体１１内には、出射する紫外線の光軸Ａが搬送路４に略平行となるように紫外線ＬＥＤ（紫外線発光素子）１３が配置されており、筐体１１の側壁の１つをなす駆動回路基板（図示なし）に固定されている。この紫外線ＬＥＤ１３から発せられた紫外線は、紫外線ＬＥＤ１３のパッケージに設けられたレンズ１４によって略平行光に整形される。なお、筐体１１の内外の温度差を低減するために、例えば複数の貫通孔（図示なし）を筐体１１に設けてもよい。
【００１８】
紫外線ＬＥＤ１３の直前には、紫外線のみを透過させる紫外線透過フィルタ１６が配置されており、筐体１１内の上面に立設された仕切部１７と筐体１１の下壁との間に掛け渡されて固定されている。これにより、紫外線の波長領域外の波長を有する光が紫外線ＬＥＤ１３から出射されても、そのような光を遮断して、紫外線のみを紙葉類Ｓに照射することが可能になる。
【００１９】
筐体１１内において、検出面Ｐと直交する検出軸線Ｂ上には、紙葉類Ｓから発せられた蛍光を受光する蛍光用フォトセンサ（蛍光受光素子）１８が配置されており、上述した駆動回路基板に固定されている。検出軸線Ｂ上において、筐体１１の下壁には、防塵用のガラス板１２で塞がれた開口部１１ａが形成されており、また、ガイド板２には、ガラス板１２が嵌め込まれた開口部２ａが形成されている。これにより、紙葉類Ｓから発せられた蛍光は、ガラス板２及び開口部２ａ，１１ａを通過して、検出軸線Ｂ上を蛍光用フォトセンサ１８に向かって進行することになる。
【００２０】
紫外線ＬＥＤ１３の光軸Ａと検出軸線Ｂとが交差する位置には、光軸Ａに対して例えば４５度といった所定の角度をもって可視光線透過フィルタ１９が配置されており、仕切部１７と筐体１１の下壁との間に掛け渡されて固定されている。この可視光線透過フィルタ１９は、紙葉類Ｓから発せられた蛍光を検出軸線Ｂに沿って透過させるだけでなく、紫外線ＬＥＤ１３から出射された紫外線を分岐して一方を光軸Ａに沿って透過させ、他方を検出軸線Ｂに沿って検出面Ｐ側に反射する。
【００２１】
また、紫外線ＬＥＤ１３の光軸Ａ上には、光軸Ａに対して所定の角度をもってハーフミラー（紫外線透過・反射部材）２１が配置されており、筐体１１の上面に立設された保持部２２と筐体１１の下壁との間に掛け渡されて固定されている。このハーフミラー２１は、可視光線透過フィルタ１９を透過した紫外線を透過及び反射させて２つに分岐するものであり、一方を光軸Ａに沿って透過させ、他方を上側に９０度折り曲げるように反射する。
【００２２】
そして、光軸Ａに沿ってハーフミラー２１を透過・直進した紫外線は、筐体１１内に配置されて上述した駆動回路基板に固定された第１のモニタ用フォトセンサ（第１のモニタ用受光素子）２３によって受光される。一方、ハーフミラー２１により反射された紫外線は、ハーフミラー２１の直上において保持部２２に固定された蛍光ガラス板（蛍光部材）２４に照射される。この蛍光ガラス板２４は、蛍光成分を有するガラス板であり、紫外線を受光して蛍光（可視光線）を発するもの（すなわち、蛍光媒体）である。紫外線の照射により蛍光ガラス板２４から発せられた蛍光は、筐体１１内に配置されて上述した駆動回路基板に固定された第２のモニタ用フォトセンサ（第２のモニタ用受光素子）２６によって受光される。
【００２３】
更に、温度センサ１０には、図２及び図３に示すように、第１のモニタ用フォトセンサ２３の出力値に基づいて、第２のモニタ用フォトセンサ２６の出力値が雰囲気温度と一対一に対応するように紫外線ＬＥＤ１３の発光量を制御する制御回路（制御手段）２７が設けられている。
【００２４】
ここでは、制御回路２７は、第１のモニタ用フォトセンサ２３の出力値が一定となるように（すなわち、紫外線ＬＥＤ１３から発せられる紫外線の発光量が一定となるように）紫外線ＬＥＤ１３から発せられる紫外線の発光量をフィードバック制御している。このとき、第２のモニタ用フォトセンサ２６の出力値は、図４に示すように、雰囲気温度に対してほぼリニアに変化する。これは、雰囲気温度が高くなるほど蛍光ガラス板２４から発せられる蛍光の発光量が減少するからである。なお、図４に示すグラフの縦軸は、雰囲気温度が２５℃のときの第２のモニタ用フォトセンサ２６の出力値を基準とした場合における第２のモニタ用フォトセンサ２６の出力値の偏差である。
【００２５】
従って、第１のモニタ用フォトセンサ２３の出力値に基づいて、第２のモニタ用フォトセンサ２６の出力値が雰囲気温度と一対一に対応するように紫外線ＬＥＤ１３の発光量を制御することで、第２のモニタ用フォトセンサ２６の出力値に基づいて、温度センサ１０の雰囲気温度を検知することができる。そして、このように雰囲気温度の検知に紫外線や蛍光といった光を利用することで、外部からの電磁誘導ノイズが発生し難くなり、雰囲気温度を正確に検知することが可能になる。
【００２６】
これにより、例えば、他の光センサ（一般的に温度依存性が強い）が紙葉類検査器１に搭載されている場合に、温度センサ１０により検知された雰囲気温度に基づいて、当該光センサの出力値、或いは当該光センサによる判別の閾値を補正することができるため、紙葉類Ｓの真偽をより一層正確に判別することが可能になる。また、温度センサ１０を用いることで雰囲気温度を表示することも可能になる。更に、紙葉類検査器１に別個に温度センサを設けることが不要になるため、コストダウン化を図ることも可能になる。
【００２７】
また、第１のモニタ用フォトセンサ２３を設けることで、その出力値に基づき、紫外線ＬＥＤ１３による紫外線の発光量を監視することができる。従って、紫外線ＬＥＤ１３の発光状態が経時的に変化しても、紫外線ＬＥＤ１３をフィードバック制御して紫外線の発光量を一定に維持させることができる。
【００２８】
更に、第２のモニタ用フォトセンサ２６を設けることで、その出力値に基づき、蛍光ガラス板２４からの蛍光の発光量を監視することができる。従って、例えば、第１のモニタ用フォトセンサ２３を用いて、紫外線ＬＥＤ１３による紫外線の発光量が一定となるように（すなわち、紙葉類Ｓに対する紫外線の照射光量が一定となるように）しているにも拘わらず、温度センサ１０の雰囲気温度の上昇が原因となって、紙葉類Ｓの所定領域からの蛍光の発光量が減少している場合であっても、第２のモニタ用フォトセンサ２６の出力値に基づいて、蛍光用フォトセンサ１８の出力値を適切に増幅させて、補正することができる。
【００２９】
なお、紙葉類Ｓから発せられる蛍光の光量は、紙葉類Ｓの材質や、紙葉類Ｓに用いられたインクの種類等に応じて変化する。そのため、温度センサ１０においては、次のようにして紙葉類Ｓの真偽の判別が行われる。すなわち、所定の雰囲気温度下において、本物の紙葉類についての蛍光用フォトセンサ１８の出力値を基準値として記憶しておく。そして、紙葉類Ｓについての蛍光用フォトセンサ１８の出力値を、第２のモニタ用フォトセンサ２６を用いて補正した後に基準値と比較することで、紙葉類Ｓの真偽を正確に判別することができる。
【００３０】
以上のように、温度センサ１０においては、第１のモニタ用フォトセンサ２３と第２のモニタ用フォトセンサ２６とを設けることで、紫外線ＬＥＤ１３の発光状態が経時的に変化したり、紙葉類Ｓの所定領域からの蛍光の発光量が雰囲気温度に応じて変化したりしても、紙葉類Ｓの真偽を正確に判別することが可能になる。
【００３１】
［第２実施形態］
第２実施形態に係る温度センサ３０は、紙葉類Ｓの真偽の判別を行わず、雰囲気温度の検知のみを行う点で、雰囲気温度の検知及び紙葉類Ｓの真偽の判別を行う第１実施形態に係る温度センサ１０と異なっている。
【００３２】
すなわち、図５に示すように、温度センサ３０は、紙葉類検査器１のガイド板２に取り付けられた筐体１１と、紫外線を発する紫外線ＬＥＤ１３と、紫外線のみを透過させる紫外線透過フィルタ１６と、紫外線ＬＥＤ１３から発せられた紫外線を透過及び反射させて分岐するハーフミラー２１とを備えている。
【００３３】
更に、温度センサ３０は、ハーフミラー２１を透過・直進した紫外線を受光する第１のモニタ用フォトセンサ２３と、ハーフミラー２１により反射された紫外線を受光して蛍光を発する蛍光ガラス板２４と、蛍光ガラス板２４から発せられた蛍光を受光する第２のモニタ用フォトセンサ２６と、第１のモニタ用フォトセンサ２３の出力値に基づいて、第２のモニタ用フォトセンサ２６の出力値が雰囲気温度と一対一に対応するように紫外線ＬＥＤ１３の発光量を制御する制御回路２７とを備えている。
【００３４】
その一方で、温度センサ３０は、紙葉類Ｓから発せられた蛍光を受光する蛍光用フォトセンサ１８と、紙葉類Ｓから発せられた蛍光を透過させる可視光線透過フィルタ１９とを備えておらず、筐体１１の下壁及びガイド板２には、紙葉類Ｓから発せられた蛍光を通過させるためのガラス板２及び開口部２ａ，１１ａが設けられていない。
【００３５】
そして、この温度センサ３０においても、第１実施形態に係る温度センサ１０と同様に、第１のモニタ用フォトセンサ２３の出力値に基づいて、第２のモニタ用フォトセンサ２６の出力値が雰囲気温度と一対一に対応するように紫外線ＬＥＤ１３の発光量を制御することで、第２のモニタ用フォトセンサ２６の出力値に基づいて、温度センサ３０の雰囲気温度を検知することができる。そして、このように雰囲気温度の検知に紫外線や蛍光といった光を利用することで、外部からの電磁誘導ノイズが発生し難くなり、雰囲気温度を正確に検知することが可能になる。
【００３６】
本発明は、上述した第１及び第２実施形態に限定されるものではない。例えば、制御回路２７は、第２のモニタ用フォトセンサ２６の出力値に基づいて、第１のモニタ用フォトセンサ２３の出力値が雰囲気温度と一対一に対応するように紫外線ＬＥＤ１３の発光量を制御するものであってもよい。
【００３７】
その一例について説明する。図６に示すように、制御回路２７は、第２のモニタ用フォトセンサ２６の出力値が一定となるように紫外線ＬＥＤ１３から発せられる紫外線の発光量をフィードバック制御している。このとき、第１のモニタ用フォトセンサ２３の出力値は、図７に示すように、雰囲気温度に対してほぼリニアに変化する。これは、雰囲気温度が高くなるほど蛍光ガラス板２４から発せられる蛍光の発光量が減少するからである。なお、図７に示すグラフの縦軸は、雰囲気温度が２５℃のときの第１のモニタ用フォトセンサ２３の出力値を基準とした場合における第１のモニタ用フォトセンサ２３の出力値の偏差である。
【００３８】
また、図８に示すように、制御回路２７に切替スイッチ（切替手段）２８を設けてもよい。これにより、第１のモニタ用フォトセンサ２３の出力値に基づいて、第２のモニタ用フォトセンサ２６の出力値が雰囲気温度と一対一に対応するように紫外線ＬＥＤ１３の発光量を制御する場合と、第２のモニタ用フォトセンサ２６の出力値に基づいて、第１のモニタ用フォトセンサ２３の出力値が雰囲気温度と一対一に対応するように紫外線ＬＥＤ１３の発光量を制御する場合とに制御回路２７を切り替えることが可能になる。
【００３９】
更に、上述した第１実施形態に係る温度センサ１０は、紙葉類Ｓの真偽を判別する場合であったが、同様の構成により紙葉類の種類を判別することも可能である。
【図面の簡単な説明】
【００４０】
【図１】第１実施形態に係る温度センサが適用された紙葉類検査器の断面図である。
【図２】第１実施形態に係る温度センサの断面図である。
【図３】第１実施形態に係る温度センサの制御回路の回路図である。
【図４】第１実施形態に係る温度センサにおいて、雰囲気温度と第２のモニタ用フォトセンサの出力値の偏差との関係を示すグラフである。
【図５】第２実施形態に係る温度センサの断面図である。
【図６】一の変形例に係る温度センサの制御回路の回路図である。
【図７】一の変形例に係る温度センサにおいて、雰囲気温度と第１のモニタ用フォトセンサの出力値の偏差との関係を示すグラフである。
【図８】他の変形例に係る温度センサの制御回路の回路図である。
【符号の説明】
【００４１】
１０，３０…温度センサ、１３…紫外線ＬＥＤ（紫外線発光素子）、１８…蛍光用フォトセンサ（蛍光受光素子）、２１…ハーフミラー（紫外線透過・反射部材）、２３…第１のモニタ用フォトセンサ（第１のモニタ用受光素子）、２４…蛍光ガラス板（蛍光部材）、２６…第２のモニタ用フォトセンサ（第２のモニタ用受光素子）、２７…制御回路（制御手段）、２８…切替スイッチ（切替手段）、Ｐ…検出面、Ｓ…紙葉類。
【図１】
2006058246.tif 000003
【図２】
2006058246.tif 000004
【図３】
2006058246.tif 000005
【図４】
2006058246.tif 000006
【図５】
2006058246.tif 000007
【図６】
2006058246.tif 000008
【図７】
2006058246.tif 000009
【図８】
2006058246.tif 000010